(57)【要約】      （修正有）【課題】片手だけの操作で容易に排泄物収納用の袋体を着脱できる動物排泄物受取器を提供する。【解決手段】受取部材１を有する本体１００と、受取部材の外周面を包囲する長条形の束帯２００とを備え、受取部材の内側に排泄物を受け取る受取空間１１が形成され、束帯２００は、２つの端部２０１と弾性部２０２とを有し、端部は本体に連結され、少なくとも１つの端部は本体に脱着可能であり、端部を本体に連結することにより、引き伸ばされた弾性部２０２と受取部材１で排泄物収納用の袋体の開口部を挟持可能とし、端部を本体から離脱することにより袋体の開口部を解放する。【選択図】図１
0003196132.tif 000002
【実用新案登録請求の範囲】
【請求項１】
受取部材を有する本体と、長条形を呈し、前記受取部材の外周面を包囲するための束帯とを備える動物排泄物受取器であって、
前記受取部材により排泄物を受け取る受取空間が形成され、前記受取部材は、前記受取空間に隣接する内周面と、前記内周面に相対する外周面とを有し、
前記束帯は、２つの端部と、前記２つの端部の間に位置する弾性部とを有し、当該端部は、前記本体に連結するために用いられ、前記２つの端部のうちの少なくとも１つの端部は、前記本体に脱着可能であり、脱着可能な当該端部を前記本体に連結することにより、引き伸ばされた前記弾性部と前記受取部材で排泄物収納用の袋体の開口部を挟持可能とし、脱着可能な当該端部を前記本体から離脱することにより、前記袋体の開口部を解放することを特徴とする、動物排泄物受取器。
【請求項２】
前記受取部材の外周面には、周方向に沿って第１係止縁が設けられ、前記束帯は、前記第１係止縁よりも相対的に低い位置に取り付けられていることを特徴とする、請求項１に記載の動物排泄物受取器。
【請求項３】
前記受取部材の外周面には、前記第１係止縁に対向する第２係止縁が設けられ、前記第１係止縁と前記第２係止縁の間に収容溝が形成され、前記束帯は、前記収容溝内に位置することを特徴とする、請求項２に記載の動物排泄物受取器。
【請求項４】
前記本体の外側における前記収容溝に対応する箇所には、２つの第１掛止部が設けられ、前記束帯の前記２つの端部に、当該第１掛止部に係合する第２掛止部が設けられたことを特徴とする、請求項３に記載の動物排泄物受取器。
【請求項５】
当該第１掛止部は、掛止孔であり、当該第２掛止部は、前記掛止孔に対応するフック部であることを特徴とする、請求項４に記載の動物排泄物受取器。
【請求項６】
前記本体に第１掛止部が設けられ、前記束帯の前記２つの端部のうちの少なくとも１つの端部には、前記第１掛止部に係合する第２掛止部が設けられることを特徴とする、請求項１に記載の動物排泄物受取器。
【請求項７】
前記本体に調整掛止部が設けられ、少なくとも１つの端部に設けた前記第２掛止部を前記第１掛止部に係合した時に前記束帯が第１伸張長さとなり、当該第２掛止部を前記調整掛止部に係合した時に前記束帯が第２伸張長さとなり、前記第２伸張長さと前記第１伸張長さとは異なる長さとなる位置に調整掛止部を設けたことを特徴とする、請求項４または請求項６に記載の動物排泄物受取器。
【請求項８】
当該第１掛止部は、掛止孔であり、当該第２掛止部は、前記掛止孔に係合するフック部であることを特徴とする、請求項７に記載の動物排泄物受取器。
【請求項９】
前記受取部材に阻止部を設け、前記本体は、前記受取部材に枢着される握持部材を有し、前記握持部材が前記受取部材に対して斜めに起立した使用位置にある時に、前記握持部材が前記阻止部に当接することにより、前記受取部材を固定することを特徴とする、請求項１に記載の動物排泄物受取器。
【請求項１０】
前記受取部材は、周方向に２分割された２つの相対支持枠を有し、前記２つの相対支持枠の一端間に第１収容口が形成され、前記２つの相対支持枠の他端間に第２収容口が形成され、前記第１収容口と前記第２収容口の間に前記受取空間が位置し、前記第２収容口は前記阻止部と隣接し、前記握持部材を前記受取空間に対して平行に重なった収納位置に枢動させた時、前記握持部材が前記阻止部から離間して、前記受取部材の第１収容口、前記第２収容口及び前記受取空間に収容されることを特徴とする、請求項９に記載の動物排泄物受取器。
【考案の詳細な説明】
【技術分野】
【０００１】
本考案は、長条形の束帯を利用して袋体を固定し、この束帯を片手だけで操作することができる動物排泄物受取器に関する。
【背景技術】
【０００２】
ペットの糞便を容易に清掃できるようにするために、飼い主は、特許文献１に示すような「受取装置」を使用している。この受取装置は、把柄体と、受取部品と、蓋体と、ネジと、ナットと、ワッシャーとから構成され、前記受取部品は、蓋体、ネジ、ナット、左ワッシャーと右ワッシャーなどの部材を介して把柄体の先端に緊結される。また、受取部品から後向きに、ビニール袋の提げ手を掛着するための２つの掛け耳部が延設される。
しかし、上記特許文献１に記載のものは、使用時、袋体を前記受取部品上に固定するためには、提げ手を有する袋体を別途に用意する必要がある。また、受取部品は、提げ手なしの袋体と合わせることができず、やや不便であった。
【０００３】
また、特許文献２に記載の「ペット排泄物清掃器」、特許文献３に記載の「Ａｎｉｍａｌ  ｆｅｃｅｓ  ｃｏｌｌｅｃｔｉｎｇ  ｄｅｖｉｃｅ」なども挙げられる。
これらは、主に受取部材及び束輪を備え、前記受取部材により、袋体を置くための受取空間が定義されると共に、前記袋体の袋口を束輪で縛着して受取部材に固定してある。使用者は、袋体の袋口を開き、容易に袋体の袋口をペットの排泄部に照準して動物糞便を受取ることができる。しかも、上記受取部材を提げ手を有する袋体または提げ手なしの袋体に限らずに使用できる。
【０００４】
特許文献４に記載された「犬糞受取装置」は、フレーム体、袋体と把柄体を備える。前記フレーム体は、環状の弾性束帯を装着・緊縛するために供され、弾性束帯は袋体をフレーム体に固定するために用いられ、使用者は、手で把柄体を持ち、袋体を利用して容易に犬糞を受取ることができる。
特許文献５に記載の「ペット排泄物収集装置」は、二段式の握柄、転フレーム及び収集袋を備える。前記収集袋の袋口に弾性緊縛領域が設けられ、収集袋を転フレームに緊密に取り付け、ペット排泄物を容易に受取することができる。
【先行技術文献】
【特許文献】
【０００５】
【特許文献１】台湾実用新案登録第Ｍ３９６００１号公報
【特許文献２】台湾実用新案登録第３７１８３１号公報
【特許文献３】米国特許第３９３７５０９号明細書
【特許文献４】台湾実用新案登録第Ｍ４８２９４９号公報
【特許文献５】台湾実用新案登録第Ｍ３０３６２３号公報
【考案の概要】
【考案が解決しようとする課題】
【０００６】
しかし、上記従来の技術は、以下のような改善すべき不足点がある。
１．上述した特許文献２と特許文献３に記載のものは、束輪の取り付けまたは取り外しに不便で、弾性を有する束輪は閉環状を呈し、通常、両手を用いなければ、束輪を円滑安定に広く開いて受取部材に装着または取り外しを行うことができない。同様に、特許文献４と特許文献５に記載のものも、前記弾性束帯と収集袋の弾性緊縛領域において同じ問題が生じる。
【０００７】
２．束輪、弾性束帯または収集袋の弾性緊縛領域は、所定時間使用した後に、弾性疲労のため、袋体に十分な挟持力を提供することが困難になり、製品の実用性に問題が生じる。
３．使用者がしゃがんで糞便を清掃するのに苦労しないように、清掃器は、通常、比較的長い握柄が連結されるが（例えば、上述した特許文献３）、握柄と受取部材との間を完全に密着させて折り畳んで収納することができない。このため、清掃器の収納時に比較的嵩張ってしまう。
【０００８】
本考案が解決しようとする課題は、上述の問題を解決し、片手だけの操作で容易に排泄物収納用の袋体を着脱できる動物排泄物受取器を提供することにある。
【課題を解決するための手段】
【０００９】
本考案の動物排泄物受取器は、受取部材を有する本体と、長条形を呈し、前記受取部材の外周面を包囲するための束帯とを備え、前記受取部材により排泄物を受け取る受取空間が形成され、前記受取部材は、前記受取空間に隣接する内周面と、前記内周面に相対する外周面とを有し、前記束帯は、２つの端部と、前記２つの端部の間に位置する弾性部とを有し、当該端部は、前記本体に連結するために用いられ、前記２つの端部のうちの少なくとも１つの端部は、前記本体に脱着可能であり、脱着可能な当該端部を前記本体に連結することにより、引き伸ばされた前記弾性部と前記受取部材で排泄物収納用の袋体の開口部を挟持可能とし、脱着可能な当該端部を前記本体から離脱することにより、前記袋体の開口部を解放する。
【００１０】
以下の構成を採用しても良い。
前記受取部材の外周面には、周方向に沿って第１係止縁が設けられ、前記束帯は、前記第１係止縁よりも相対的に低い位置に取り付けられている構成。
この時、前記受取部材の外周面には、前記第１係止縁に対向する第２係止縁が設けられ、前記第１係止縁と前記第２係止縁の間に収容溝が形成され、前記束帯は、前記収容溝内に位置する構成。
さらに、前記本体の外側における前記収容溝に対応する箇所には、２つの第１掛止部が設けられ、前記束帯の前記２つの端部に、当該第１掛止部に係合する第２掛止部が設けられた構成。
当該第１掛止部は、掛止孔であり、当該第２掛止部は、前記掛止孔に対応するフック部である構成。
【００１１】
前記本体に第１掛止部が設けられ、前記束帯の前記２つの端部のうちの少なくとも１つの端部には、前記第１掛止部に係合する第２掛止部が設けられた構成。
この場合、前記本体に調整掛止部が設けられ、少なくとも１つの端部に設けた前記第２掛止部を前記第１掛止部に係合した時に前記束帯が第１伸張長さとなり、当該第２掛止部を前記調整掛止部に係合した時に前記束帯が第２伸張長さとなり、前記第２伸張長さと前記第１伸張長さとは異なる長さとなる位置に調整掛止部を設けた構成。
この時、当該第１掛止部は、掛止孔であり、当該第２掛止部は、前記掛止孔に係合するフック部である構成。
【００１２】
前記受取部材に阻止部を設け、前記本体は、前記受取部材に枢着される握持部材を有し、前記握持部材が前記受取部材に対して斜めに起立した使用位置にある時に、前記握持部材が前記阻止部に当接することにより、前記受取部材を固定する構成。
この場合、前記受取部材は、周方向に２分割された２つの相対支持枠を有し、前記２つの相対支持枠の一端間に第１収容口が形成され、前記２つの相対支持枠の他端間に第２収容口が形成され、前記第１収容口と前記第２収容口の間に前記受取空間が位置し、前記第２収容口は前記阻止部と隣接し、前記握持部材を前記受取空間に対して平行に重なった収納位置に枢動させた時、前記握持部材が前記阻止部から離間して、前記受取部材の第１収容口、前記第２収容口及び前記受取空間に収容される構成。
【考案の効果】
【００１３】
本考案によれば、袋体を緊縛する束帯が長条形の束帯であり、かつ束帯の一端が「脱着可能」な形態で受取部材に連結されているので、使用者は、束帯の受取部材に対する装着または取り外しを片手だけで容易に行うことができ、使用上、より便利で簡易になる。
束帯の伸張長さを調整するための調整掛止部を設けると、束帯が弾性疲労または弾力不足となった時に、袋体に十分な挟持力が提供され、製品の実用性をさらに増大させることができる。
受取空間の両側に、収納位置へ回動させた握持部材を収容可能な第１収容口及び第２収容口を形成すると、動物排泄物受取器をコンパクトに折り畳むことができて、収納時の利便性が高まる。
【図面の簡単な説明】
【００１４】
【図１】本考案の第１実施例を示す動物排泄物受取器の分解斜視図である。
【図２】本考案の第１実施例を示す動物排泄物受取器の斜視図である。
【図３】本考案の第１実施例を示す動物排泄物受取器の袋体取付途中における斜視図である。
【図４】本考案の第１実施例を示す動物排泄物受取器の袋体緊縛動作の第一段階における一部破断平面図である。
【図５】本考案の第１実施例を示す動物排泄物受取器の袋体緊縛動作の第二段階における一部破断平面図である。
【図６】本考案の第１実施例を示す動物排泄物受取器の袋体緊縛状態における正面図である。
【図７】本考案の第１実施例を示す動物排泄物受取器の袋体緊縛状態における斜視図である。
【図８】本考案の第１実施例を示す動物排泄物受取器の使用状態における斜視図である。
【図９】本考案の第１実施例を示す動物排泄物受取器の折り畳み状態における平面図である。
【図１０】本考案の第２実施例を示す動物排泄物受取器の一部破断平面図である。
【図１１】本考案の第３実施例を示す動物排泄物受取器の斜視図である。
【考案を実施するための形態】
【００１５】
以下、本考案の実施例を図面に基づいて詳細に説明する。
図１〜図９は、本考案の第１実施例を示す。
図１及び図２に示すように、第１実施例の動物排泄物受取器は、本体１００と、長条形の束帯２００とを備える。
【００１６】
本体１００は、受取部材１及び握持部材２を有し、受取部材１の内側に排泄物を受け取る受取空間１１が形成される。
受取部材１は、環状であって、受取空間１１と隣接する内周面１２と、内周面１２に相対する外周面１３とを有する。受取部材１の外周面１３の上端及び下端には、それぞれ第１係止縁１３１、及び第１係止縁１３１に対応する第２係止縁１３２が周方向に沿って設けられ、これにより、第１係止縁１３１と第２係止縁１３２の間に収容溝１３３が形成される。
受取部材１の外周面１３において収容溝１３３に対応する箇所には、束帯２００を固定するための２つのリング状の第１掛止部１３４が設けられる。本実施例において、第１掛止部１３４は、受取部材１に設置されるが、これに限られることなく、握持部材２上に設置されてもよい。いずれにしても、束帯２００を固定すればよいことである。
【００１７】
受取部材１は、１本の直径に沿って分割された２つの相対支持枠１４及び支持枠１４の端部から径方向外側へ延びて支持枠１４を連結する阻止部１５を有する。
そして、支持枠１４の一端部間に第１収容口１６が形成され、阻止部１５の内側において、支持枠１４の他端部間に第２収容口１７が形成される。
また、受取空間１１は、第１収容口１６と第２収容口１７の間に位置し、第２収容口１７は阻止部１５と隣接している。
【００１８】
握持部材２は、長い棒状の部材であって、その一端部が受取部材１の内側において受取部材１に枢着され、受取部材１に対して斜めに起立した使用位置（図１参照）、または、受取部材１に対して平行に重なった折り畳み収納位置（図９参照）に枢動するようになっている。
前記使用位置である時に、握持部材２が受取部材１の阻止部１５に当接することにより、受取部材１を使用位置に固定する。
一方、前記収納位置（図９を合わせて参照）である時に、握持部材２を受取部材１の阻止部１５から離間させると共に、受取部材１の第１収容口１６、第２収容口１７及び受取空間１１に嵌合収容し、これにより、受取器をコンパクトに折り畳み、収納時の利便性を高めることができる。
【００１９】
長条形の束帯２００は、図４及び図５に示すように、受取部材１の外周面１３を包囲するために用いられ、２つの端部２０１と、２つの端部２０１の間に位置する弾性部２０２とを有する。
端部２０１は、本体１００に連結するために用いられ、束帯２００は第１係止縁１３１よりも相対的に低い位置に取り付けられる。
本実施例において、束帯２００は弾性帯体であり、また弾性部２０２が端部２０１に一体的に連結されるが、これに限られることなく、弾性部２０２がバネであってもよい。
【００２０】
本実施例において、束帯２００の２つの端部２０１のいずれにも、受取部材１の第１掛止部１３４の掛止孔１３４０に係合するためのフック状の第２掛止部２０３が設けられる（図１、図４、図５参照）。
但し、これに限られることなく、第２掛止部２０３を掛止孔とし、記受取部材１の第１掛止部１３４を掛止孔に対応するフック部としてもよい。いずれの目的も、束帯２００の少なくとも１つの端部２０１を本体１００に脱着可能に結合することである。
【００２１】
本考案の動物排泄物受取器を使用するには、使用者は、まず、図３に示すように、排泄物収納用の袋体Ａの開口縁Ａ１を開いて受取部材１上に置き、袋体Ａの収容空間Ａ２を受取部材１の受取空間１１に対応させる。
なお、束帯２００の中の１つの端部２０１の第２掛止部２０３を受取部材１の中の第１掛止部１３４の掛止孔１３４０に掛合させておく。
【００２２】
続いて、図４及び図５に示すように、束帯２００を収容溝１３３に沿って受取部材１の外周面１３に巻くと共に、束帯２００を引き伸ばし、別の第２掛止部２０３を受取部材１の別の第１掛止部１３４の掛止孔１３４０に掛合させる。
これによって、弾性部２０２を変形させて束帯２００に受取部材１に向く挟持力Ｆ（図６参照）が生じ、束帯２００で袋体Ａの開口縁Ａ１を縛着することで、袋体Ａを固定する目的が達成され、使用者は、容易に動物Ｂの排泄物Ｃを受取することができる（図７及び図８を合わせて参照）。
【００２３】
図１０は、本考案の第２実施例を示す。
図１０に示すように、この実施例と第１実施例との相違点は、受取部材１Ａに調整掛止部１８Ａが設けられることである。調整掛止部１８Ａは、第１掛止部１３４Ａと同様のリング状の部材であって、一方の第１掛止部１３４Ａよりも径方向外側に設けられる。
束帯２００Ａの端部２０１Ａにおける２つの第２掛止部２０３Ａを、第１掛止部１３４Ａの掛止孔１３４０Ａに係合した時に、束帯２００Ａは第１伸張長さとなる。一方、束帯２００Ａの一方の第２掛止部２０３Ａを調整掛止部１８Ａに係合した時に、束帯２００Ａは第２伸張長さとなり、第２伸張長さが第１伸張長さよりも相対的に長い。これにより、束帯２００Ａは、弾性部２０２Ａが弾性疲労または弾力不足となった時に、調整掛止部１８Ａにより束帯２００Ａの伸張長さを調整することで、袋体Ａに対して十分な挟持力が提供され、製品の実用性がさらに高まる。
【００２４】
但し、調整掛止部１８Ａの数量は、単一個に限らず、多数個であってもよく、これにより、束帯２００Ａを多段階で調整固定する機能が提供される。
なお、本実施例において、調整掛止部１８Ａは、受取部材１Ａ上に設置されるが、これに限られることなく、握持部材２Ａ上に設置されてもよい。いずれの目的も、束帯２００Ａに異なる距離位置の固定位置を提供し、伸張長さを調整することである。
【００２５】
図１１は、本考案の第３実施例を示す。
図１１に示すように、この実施例と第１実施例との相違点は、受取部材１Ｂは閉環形状を呈しておらず、２つの支持枠１４Ｂの間の第１収容口１６Ｂが受取部材１Ｂを貫通しており、第１実施例のような凹溝形態ではないことである。
このように、第１収容口１６Ｂを通して受取空間１１Ｂ及び第２収容口１７Ｂを受取部材１Ｂの外部と連通させてあるので、第１収容口１６Ｂを通過させて握持部材２Ｂを受取部材１Ｂの他側に枢動させ、使用することができる。
【００２６】
以上は、本考案の実施例の説明であって、本考案の権利範囲を限定するものではなく、本考案の実用新案登録請求の範囲を逸脱しない変更や修飾はいずれも本考案の権利範囲に含まれる。
【符号の説明】
【００２７】
１００：本体
１，１Ａ，１Ｂ：受取部材
１１，１１Ｂ：受取空間
１２：内周面
１３：外周面
１３１：第１係止縁
１３２：第２係止縁
１３３：収容溝
１３４，１３４Ａ：第１掛止部
１３４０，１３４０Ａ：掛止孔
１４，１４Ｂ：支持枠
１５：阻止部
１６，１６Ｂ：第１収容口
１７，１７Ｂ：第２収容口
１８Ａ：調整掛止部
２，２Ａ，２Ｂ：握持部材
２００，２００Ａ：束帯
２０１，２０１Ａ：端部
２０２，２０２Ａ：弾性部
２０３，２０３Ａ：第２掛止部
Ａ：袋体
Ａ１：開口縁
Ａ２：収容空間
Ｂ：動物
Ｃ：排泄物
Ｆ：挟持力
【図１】
0003196132.tif 000003
【図２】
0003196132.tif 000004
【図３】
0003196132.tif 000005
【図４】
0003196132.tif 000006
【図５】
0003196132.tif 000007
【図６】
0003196132.tif 000008
【図７】
0003196132.tif 000009
【図８】
0003196132.tif 000010
【図９】
0003196132.tif 000011
【図１０】
0003196132.tif 000012
【図１１】
0003196132.tif 000013